(57)【要約】  【課題】吸収性物品の後方部分において、横断方向の変形性能を確保するとともに、横断方向を軸とする長手方向の変形性能を確保することにより、前記吸収性物品の後方部分を臀部の湾曲形状にぴったりと沿わせ、後漏れを効果的に防止する。  【解決手段】生理用ナプキン１の少なくとも後方中央部分に、前記ナプキンの長手方向に延びるとともに、肌当接面側に隆起する吸収体中高部６を有し、かつ前記吸収体中高部６に対応する吸収体４の非肌当接面側にナプキン長手方向に沿って断続的な凹状溝１４、１４…を形成する。【選択図】図６
2006263205.tif 000002
【特許請求の範囲】
【請求項１】
透液性トップシートとバックシートとの間に吸収体が介在された吸収性物品において、
前記吸収性物品の少なくとも後方中央部分に、前記吸収性物品の長手方向に延びるとともに、肌当接面側に隆起する吸収体中高部を有し、かつ前記吸収体中高部に対応する吸収体の非肌当接面側に前記吸収性物品の長手方向に沿って断続的な凹状溝が形成されていることを特徴とする吸収性物品。
【請求項２】
前記断続的な凹状溝は、所定間隔で列を成すように配置された線状溝、三角形溝、クサビ形状溝、楕円形状溝、菱形形状溝のいずれかである請求項１記載の吸収性物品。
【請求項３】
前記吸収体の非肌当接面側において、前記凹状溝の後方端部から連続して或いはその近傍点より、吸収性物品の後方側に向けて漸次両者の離間幅を拡大させる２条の凹状溝を形成してある請求項１，２いずれかに記載の吸収性物品。
【請求項４】
前記吸収体の非肌当接面側において、前記断続的な凹状溝を会陰部対応部位まで延長させるとともに、前記凹状溝の前方端近傍部位に近接して円形の凹状溝を形成してある請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体への密着性を向上させ後漏れを無くした吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、吸収体の中高部を形成するとともに、熱エンボスによって凹状溝を形成する技術が存在する。
【０００４】
たとえば、下記特許文献１では、肌当接面側に液透過層と、非肌当接面側に液不透過層と、該液透過層及び該液不透過層の間に介在された吸収部とを備え、実質的に縦長に形成されてなる吸収性物品において、上記吸収部の後方部に、肌当接面側へ隆起した、上記吸収性物品の長手方向に延びる隆起部を備え、該隆起部に対応する上記吸収部の非肌当接面側には、上記吸収性物品の幅方向中央において該吸収性物品の長手方向に延びる後方溝（凹状溝）を備えた吸収性物品が開示されている。
【特許文献１】特開平１０−３２８２３３号公報
【発明の開示】
【発明が解決しようとする課題】
【０００５】
上記特許文献１記載の吸収性物品においては、前記後方溝を可撓軸として機能させることにより、生理用ナプキンの装着時に吸収部の後方部分を逆Ｖ字状に変形させることにより、装着者の臀部に良好にフィットさせるようにするものである。
【０００６】
確かに、可撓軸として機能する前記後方溝を形成することにより、横断方向の変形性能は向上するものの、前記後方溝は高密度に圧縮された直線状の凹状溝として形成されるものであるため、吸収性物品の長手方向への変形性能、すなわち横断方向を軸とする変形性能が逆に低下してしまい、ナプキンの後方部分を臀部の丸みに沿って変形させることが困難となり、臀部との間に隙間が生じて後漏れを起こすおそれがあった。
【０００７】
そこで本発明の主たる課題は、吸収性物品の後方部分において、横断方向の変形性能を確保するとともに、横断方向を軸とする長手方向の変形性能を確保することにより、前記吸収性物品の後方部分を臀部の湾曲形状にぴったりと沿わせ、後漏れを効果的に防止することにある。
【課題を解決するための手段】
【０００８】
前記課題を解決するための請求項１に係る本発明として、透液性トップシートとバックシートとの間に吸収体が介在された吸収性物品において、
前記吸収性物品の少なくとも後方中央部分に、前記吸収性物品の長手方向に延びるとともに、肌当接面側に隆起する吸収体中高部を有し、かつ前記吸収体中高部に対応する吸収体の非肌当接面側に前記吸収性物品の長手方向に沿って断続的な凹状溝が形成されていることを特徴とする吸収性物品が提供される。
【０００９】
上記請求項１記載の本発明では、吸収性物品の後方中央部分に、吸収性物品の長手方向に延びるとともに、肌当接面側に隆起する吸収体中高部を形成し、前記吸収体中高部に対応する吸収体の非肌当接面側に、前記吸収性物品の長手方向に沿って断続的な凹状溝を形成するものである。前記断続的な凹状溝は、凹状溝の形成列に沿う軸部分が他の部分よりも薄肉化され、剛性（断面二次モーメント）が低下することにより、凹状溝の形成列を軸とする可撓軸（長手方向可撓軸）によって横断方向の変形性能が確保されるとともに、断続的に形成された凹状溝間の部分（無加工部分）を通る多数の横断方向軸が可撓軸となって長手方向の変形性能を確保することができる。
【００１０】
従って、装着状態では、前記横断方向の可撓軸部分が角折れするように変形し、臀部の丸みに沿うように身体にフィットするようになるとともに、前記長手方向可撓軸により吸収体中高部をさらに隆起させるように変形するため、臀部中央の窪み部分に吸収体中高部を密着させることができる。
【００１１】
請求項２に係る本発明として、前記断続的な凹状溝は、所定間隔で列を成すように配置された線状溝、三角形溝、クサビ形状溝、楕円形状溝、菱形形状溝のいずれかである請求項１記載の吸収性物品が提供される。
【００１２】
上記請求項２記載の本発明は、前記断続的な凹状溝の具体例として、所定間隔で列を成すように配置された線状溝、三角形溝、クサビ形状溝、楕円形状溝、菱形形状溝のいずれかとするものである。
【００１３】
請求項３に係る本発明として、前記吸収体の非肌当接面側において、前記凹状溝の後方端部から連続して或いはその近傍点より、吸収性物品の後方側に向けて漸次両者の離間幅を拡大させる２条の凹状溝を形成してある請求項１，２いずれかに記載の吸収性物品が提供される。
【００１４】
上記請求項３記載の本発明は、前記凹状溝の後方端部から連続して或いはその近傍点より、吸収性物品の後方側に向けて漸次両者の離間幅を拡大させる２条の凹状溝を形成するものである。すなわち、前記凹状溝の後方端部からハの字状に２条の凹状溝を形成することにより、凹状溝後端部から先の吸収体後方部分が３次元的湾曲形状に折れ曲がり易くなり、更に臀部への密着性を向上させることができる。
【００１５】
請求項４に係る本発明として、前記吸収体の非肌当接面側において、前記断続的な凹状溝を会陰部対応部位まで延長させるとともに、前記凹状溝の前方端近傍部位に近接して円形の凹状溝を形成してある請求項１〜３いずれかに記載の吸収性物品が提供される。
【００１６】
上記請求項４記載の発明は、前記断続的な凹状溝を会陰部対応部位まで延長させるとともに、前記凹状溝の前方端近傍部位に近接して円形の凹状溝を形成するものであり、会陰部対応部位に前記円形の凹状溝を付加することにより会陰部への密着性を向上させることができる。
【発明の効果】
【００１７】
以上詳説のとおり本発明によれば、吸収性物品の後方部分において、横断方向の変形性能を確保するとともに、横断方向を軸とする長手方向の変形性能を確保することができるため、前記吸収性物品の後方部分を臀部の湾曲形状にぴったりと沿わせ、後漏れを効果的に防止することができる。
【発明を実施するための最良の形態】
【００１８】
以下、本発明の実施の形態について図面を参照しながら詳述する。
〔生理用ナプキン１の基本構造〕
図１は本発明の第１形態例に係る生理用ナプキン１の展開図であり、図２は図１のII−II線矢視図、図３は図１のIII−III線矢視図である。
【００１９】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２０】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２１】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２２】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２３】
前記吸収体４の使用面側には、幅方向中央部にナプキン長手方向に細長く、かつ周方向に閉合しているエンボス８によって区画される領域に、長手方向に延び肌当接面側に隆起する吸収体中高部６が形成されている。この吸収体中高部６は、幅方向中央部に、ナプキン前端部からナプキン後方部までの範囲に亘り細長く形成されている。前記中高部６の厚みは、厚くし過ぎると吸収体４の剛性が上がり身体への密着性が低下するため３〜２０mm、好ましくは５〜１５mmとするのが好ましい。また、使用面側には前記エンボス８とともに、エンボス９，１０、１１がそれぞれ形成されている。これら各エンボス８〜１１については更に詳しく後述する。
【００２４】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２５】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、図１２に示されるように、ショーツ３０に対する装着時に、前記ウイング状フラップＷ、Ｗが折返し線ＲＬ位置にて反対側に折り返し、ショーツのクロッチ部分に巻き付けて止着するようになっている。
【００２６】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００２７】
〔エンボス構造〕
《肌当接面側に形成されるエンボス》
従来の吸収性物品の場合、肌当接面側に形成される吸収体の隆起形状は単一の弧状曲線からなる単純な形状とされるものが一般的であったが、実際には女性の排血部位の形状は複雑で、女性の排血口付近に吸収体をほぼ密着させることができたとしても、膣口から後方側の肛門付近にかけての会陰部が小さな窪み状の立体形状を成しているため、この会陰部に対して吸収体を密着できていない。そのため、排血口付近で吸収できなかった経血等が前記会陰部でも吸収されず、後漏れの原因となることがあった。
【００２８】
そこで、本生理用ナプキン１では、女性の排血口はもとより会陰部に対しても吸収体を密着させ得るようにし、身体への密着性を更に向上させるようにしている。
【００２９】
具体的には、図４に示されるように、幅方向中央部に肌当接面側に隆起するとともに、ナプキン前端部からナプキン後端部に亘る範囲に吸収体中高部６を有するとともに、この吸収体中高部６を囲むように、ナプキン１の長手方向に細長いエンボス８が形成されている。このエンボス８は、前部側から順に、前端部エンボス８ａ、縮小形状エンボス８ｂ、第１の膨出形状エンボス８ｃ、中間弧状エンボス８ｄ、第２の膨出形状エンボス８ｅ、後部側エンボス８ｆから構成されている。これら各エンボスは分断することなく連続的に形成され、全体として周方向に閉合している。
【００３０】
前記前端部エンボス８ａは、略半円弧状に形成されたエンボスであり、中高部６の両側に夫々形成された略長手方向に沿う各左右一対のエンボスをナプキン前端部において曲線ラインで結合するエンボスである。
【００３１】
前記縮小形状エンボス８ｂは、前記前端部エンボス８ａに連続して中高部６の両側に、ナプキン１の長手方向に延長するように形成された左右一対のエンボスラインであり、ほぼ大腿部の前側に位置するとともに、図示の如く、エンボス離間幅の縮小領域を形成するように、両側のエンボスラインがそれぞれ、ナプキン１の外方側に曲率中心を有する曲線によって形成されている。
【００３２】
前記第１の膨出形状エンボス８ｃは、前記縮小形状エンボス８ｂに連続して中高部６の両側に、ほぼナプキン１の長手方向に延長するように形成された左右一対のエンボスラインであり、ほぼ大腿部の後側に位置するとともに、エンボス離間幅の拡大領域を形成するように、両側のエンボスラインがそれぞれ、ナプキン１の中心側に曲率中心を有する曲線によって形成されている。
【００３３】
前記中間弧状エンボス８ｄは、前記第１の膨出形状エンボス８ｃに連続して中高部６の両側に、ほぼナプキン１の長手方向に延長するように形成された左右一対のエンボスラインであり、詳細には図５に示されるように、曲率中心の位置が反転する変曲点を境界として、両側のエンボスラインがそれぞれ、ナプキン１の外方側に曲率中心を有する曲線によってごく短い区間で形成されている。
【００３４】
前記第２の膨出形状エンボス８ｅは、前記中間弧状エンボス８ｄに連続して中高部６の両側に、ほぼナプキン１の長手方向に延長するように形成された左右一対のエンボスラインであり、詳細には図５に示されるように、曲率中心の位置が反転する変曲点を境界として、両側のエンボスラインがそれぞれ、ナプキン１の中心側に曲率中心を有する曲線によって形成されている。この第２の膨出形状エンボス８ｅは前記第１の膨出形状エンボス８ｃと比較すると、相対的に短い区間幅で形成されている。
【００３５】
前記後部側エンボス８ｆは、前記第２の膨出形状エンボス８ｅに連続して吸収体中高部６の両側に、ほぼナプキン１の長手方向に延長するように形成された左右一対のエンボスラインであり、図示例では僅かづつエンボスの離間幅を漸次狭めるように後部側まで延長され、後部側において円弧状の曲線エンボスによって両側のエンボスが結合されている。この後部側エンボス８ｆの後部側寄りの中間位置には、エンボス離間幅を拡大領域を形成するように、それぞれのエンボスがナプキン１の中心側に曲率中心を有する曲線によって第３の膨出形状エンボス８ｇが形成されている。
【００３６】
前記後部側エンボス８ｆの外側には、該後部側エンボス８ｆと間を空けてナプキン１の長手方向に延長される第２の後部側エンボス１０，１０が形成されている。図示例ではこの第２の後部側エンボス１０は、それぞれナプキン１の外側に曲率中心を有する弧状曲線とされている。
【００３７】
また、前記前端部エンボス８ａの前側には、間を空けて略傘形状の前端独立エンボス９が形成されているとともに、前記後部側エンボス８ｆの後側には、間を開けて略逆傘形状の後端独立エンボス１１が形成されている。
【００３８】
以上のように形成される各種エンボス８〜１１によれば、次のような効果が得られる。
【００３９】
先ず、前記第１の膨出形状エンボス８ｃ、中間弧状エンボス８ｄ及び第２の膨出形状エンボス８ｅの形成領域においては、詳細には図５に示されるように、前記各膨出形状エンボス８ｃ、８ｅの形成領域は、外側に膨出するエンボスラインによってナプキン幅方向のラインを可撓軸（折れ線）として折り曲がりづらい領域となっているが、これら膨出形状エンボス８ｃ、８ｅによって挟まれた中間弧状エンボス８ｄはエンボス曲線が反転する領域であるため、それぞれの膨出形状エンボス８ｃ、８ｅの歪みの抑制力が開放されるため、相対的にナプキン幅方向のラインＸ１−Ｘ１を可撓軸として折り曲がり易くなっている。
【００４０】
一方、ナプキン１が図１２に示されるように、ショーツ３０に装着されたとすると、前記縮小形状エンボス８ｂ、第１の膨出形状エンボス８ｃの領域では、大腿部からの内側方向に向けて圧縮力を受けることになるとともに、この圧縮力は吸収体４を幅方向に圧縮すると同時に、ナプキン長手方向に沿って形成されたエンボス８によって力が伝達され、前部側及び後部側にはそれぞれ内方側に向かう作用力Ｆ１、Ｆ２が作用するようになる。さらに、ショーツ３０のクロッチ部分が身体側に引き上げられることによってナプキン１には縦方向中心線Ｙ−Ｙに沿って股間部に押し付けるような押圧力を受けることになる。
【００４１】
以上のような作用力を受けることによって、Ｚ１領域においては、排血口に相当する前記第１の膨出形状エンボス８ｃ部位に第１の隆起部Ｒ１が形成され、この隆起部Ｒ１が排血口付近に密着することにより経血等を吸収することができる。また、膣口から後方側の肛門付近にかけての会陰部に相当する前記第２の膨出形状エンボス８ｅ部位には、Ｘ１−Ｘ１可撓軸が形成される中間弧状エンボス８ｄを介して第２の隆起部Ｒ２が形成され、この隆起部Ｒ２が会陰部に密着することにより排血口付近で吸収できなかった経血等を確実に吸収し、体液の後側への伝い漏れを確実に防止できるようになる。
【００４２】
すなわち、図５(B)に示されるように、中間弧状エンボス８ｄ領域は隆起方向の歪みが開放されるとともに、前記Ｘ１−Ｘ１可撓軸のために、その前後に位置する第１の膨出形状エンボス８ｃ領域、及び第２の膨出形状エンボス８ｅ領域には２つの山が連なるように、隆起部Ｒ１、Ｒ２が形成されるようになり、前記隆起部Ｒ１が排血口付近に密着し、前記隆起部Ｒ２が会陰部付近に密着することで経血等の伝い漏れを確実に防止できるようになる。なお、前記隆起部Ｒ２は膨出形状エンボス８ｅの形成規模に比例して、前記隆起部Ｒ１よりも小さく形成される。
【００４３】
一方、前記後部側エンボス８ｆ領域においては、中高部６の両側に夫々、ナプキン１の長手方向に沿って前記後部側エンボス８ｆの他に、第２の後部側エンボス１０が形成され、これら計４条のエンボスが夫々可撓軸を形成するため、Ｘ２−Ｘ２に沿う方向の撓み性が向上し、ヒップの谷間部分に対するフィット性が増すようになる。
【００４４】
更に、前記後部側エンボス８ｆの後部側寄り位置に形成された第３の膨出形状エンボス８ｇは、変曲点位置に対応する横断線Ｘ３−Ｘ３、Ｘ４−Ｘ４それぞれの位置で折れ曲がり易くなっているとともに、各変曲点位置でナプキンの縦方向線Ｙ−Ｙ方向の歪みが分断されるため、領域Ｚ２が盛り上がるようにヒップの谷間にフィットするようになる。
【００４５】
他方、前記ナプキン１の最前端に形成された前記略傘状の前端独立エンボス９は、これが可撓軸となってナプキン１の前端部を折れ曲がり易くし、また後方側に形成された前記略逆傘形状の後端独立エンボス１１は、これが可撓軸となって左右の第２ウイング状フラップＷＢ、ＷＢを折れ曲がり易くする。
【００４６】
《非肌当接面側に形成されるエンボス》
本生理用ナプキン１においては、図４及び図６に示されるように、前記吸収体中高部６の後方側部分に対応する吸収体４の非肌当接面側部分に対し、前記生理用ナプキン１の長手方向に沿って断続的な凹状溝１４、１４…が形成されている。すなわち、本生理用ナプキン１では、凹状溝を連続的に形成するのではなく、比較的短い直線状の凹状エンボスと、エンボス無加工部分とが交互に列を成すような断続的な凹状溝１４、１４…を形成することにより、前記凹状溝１４，１４…に沿う軸Ｙを可撓軸とする横断方向の変形性能を確保すると同時に、図６に示されるように、前記凹状溝１４，１４の間のエンボス無加工部分を通る多数の横断軸ＸＫ、ＸＫ…を可撓軸とするナプキン長手方向の変形性能を確保するものである。
【００４７】
前記凹状溝１４の深さは、吸収体４の厚みに対して２０〜９０％、好ましくは３０〜８０％の深さで形成するのが望ましい。凹状溝１４の深さが２０％未満の場合は、横断方向の変形性能はもとより長手方向の変形性能を確保することができない。前記凹状溝１４の深さが９０％を超える場合には、凹状溝１４の影響が周囲まで及んで横断軸ＸＫ、ＸＫ…を可撓軸とするナプキン長手方向の変形性能が低下するようになる。
【００４８】
なお、前記凹状溝１４、１４…は、吸収体４単独、又はクレープ紙５で囲繞された吸収体４の段階で付与するのが望ましい。
【００４９】
かかる生理用ナプキン１においては、各凹状溝１４，１４の間に形成される横断方向の横断軸ＸＫ、ＸＫ…の部位で吸収体４が折れ曲がり易くなるため、生理用ナプキン１の後方部分を臀部の湾曲形状にぴったりと沿わせるようにフィットさせ、後漏れを効果的に防止することができるとともに、臀部中央の窪み部分では、前記凹状溝１４，１４…に沿う軸Ｙを可撓軸として吸収体中高部６が盛り上がるように横断方向に変形するため臀部中央の窪みに対して吸収体中高部６を密着させることができるようになる。
【００５０】
ところで、前記凹状溝１４の平面形状は直線状の他に、図７に示されるように、三角形凹状溝１５，１５…として形成することができる。三角形の頂部をナプキン前端側に向けて配向することにより、図７(B)に示されるように、三角形凹状溝１５、１５の各中間部に形成される横断軸ＸＫ、ＸＫ…を可撓軸としてナプキン長手方向の変形性能が確保されるとともに、三角形の斜辺に沿う方向の斜軸Ｘｊ、Ｘｊ…を可撓軸として３次元的湾曲形状に易変形性を有するようになるため、臀部の湾曲形状に沿ってナプキン後端部を沿わせることができる。
【００５１】
また、図８に示されるように、クサビ形凹状溝１６，１６…（図示は若葉マークに似たクサビ形状）とする場合も同様に、図８(B)に示されるように、クサビ形凹状溝１６，１６の各中間部に形成される横断軸ＸＫ、ＸＫ…を可撓軸としてナプキン長手方向の変形性能が確保されるとともに、クサビ尖鋭部の斜辺に沿う方向の斜軸Ｘｊ、Ｘｊ…を可撓軸として３次元的湾曲形状に易変形性を有するようになるため、臀部の湾曲形状に沿ってナプキン後端部を沿わせることができる。
【００５２】
さらに図９(A)(B)に示されるように、前記凹状溝の平面形状を楕円形凹状溝１７又は菱形凹状溝１８とする場合には、図９(C)に示されるように（楕円形を図示）、凹状溝１７、１７の各中間部に形成される幅方向の横断軸ＸＫ、ＸＫ…、及び斜め２方向の斜軸Ｘｊ、Ｘｊ…、Ｘｉ、Ｘｉ…が形成されるようになるため、３次元的湾曲形状の変形性能がより高まり臀部へのフィット性が向上するようになる。
【００５３】
ところで、本生理用ナプキン１においては、吸収体裏面に形成した前記凹状溝１４〜１８と共に、密着性を向上させるための補助凹状溝を付加することもできる。
【００５４】
例えば、図１０に示されるように、前記凹状溝１４の後方端部から連続して或いはその近傍点より、ナプキン１の後方側に向けて漸次両者の離間幅を拡大させるように、略ハ字状に２条の凹状溝１９、１９（以下、ハ字状凹状溝）を形成することができる。前記ハ字状凹状溝１９、１９は、各凹状溝２０に沿う方向の可撓軸が付加されることにより、凹状溝１４後端部から先の吸収体後方部分を３次元的湾曲形状に折れ曲がり易くするため、更に臀部への密着性をさらに向上させることができる。
【００５５】
また、図１１に示されるように、前記断続的な凹状溝１４，１４…を会陰部対応部位Ｒ２まで延長させるとともに、前記凹状溝１４の前方端近傍部位に近接して円形の凹状溝２０を形成することができる。会陰部対応部位Ｒ２に前記円形凹状溝２０を付加することにより会陰部への密着性をさらに向上させることができる。
【図面の簡単な説明】
【００５６】
【図１】本発明の生理用ナプキン１の展開図である。
【図２】その横断面図（図１のII−II線矢視図）である。
【図３】その横断面図（図１のIII−III線矢視図）である。
【図４】エンボス８〜１１の説明図である。
【図５】(A)はその要部拡大図であり、(B)はB-B線矢視図である。
【図６】断続的に形成した線状の凹状溝１４、１４…を示すエンボス図である。
【図７】(A)は断続的に形成した三角形凹状溝１５、１５…を示すエンボス平面図、(B)は可撓軸形成状態図である。
【図８】(A)は断続的に形成したクサビ形凹状溝１６、１６…を示すエンボス平面図、(B)は可撓軸形成状態図である。
【図９】(A)は断続的に形成した楕円形凹状溝１７、１７…を示すエンボス平面図、(B)は断続的に形成した菱形凹状溝１８、１８…を示すエンボス平面図、(C)は可撓軸形成状態図である。
【図１０】凹状溝１４の後端部に形成したハ字状凹状溝１９を示すエンボス平面図である。
【図１１】凹状溝１４の前端部に形成した円形凹状溝２０を示すエンボス平面図である。
【図１２】生理用ナプキン１の装着状態を示す図である。
【符号の説明】
【００５７】
１…生理用ナプキン、２…不透液性バックシート、３…透液性トップシート、４…吸収体、５…クレープ紙、６…吸収体中高部、７…サイド不織布、８…エンボス、８ａ…前端部エンボス、８ｂ…縮小形状エンボス、８ｃ…第１の膨出形状エンボス、８ｄ…中間弧状エンボス、８ｅ…第２の膨出形状エンボス、８ｆ…後部側エンボス、８ｇ…第３の膨出形状エンボス、９…前端独立エンボス、１０…第２の後部側エンボス、１１…後端独立エンボス、ＢＳ…立体ギャザー、Ｗ…ウイング状フラップ、ＷＢ…臀部側ウイング状フラップ、１４〜１８…断続的凹状溝、１９・２０…補助凹状溝
【図１】
2006263205.tif 000003
【図２】
2006263205.tif 000004
【図３】
2006263205.tif 000005
【図４】
2006263205.tif 000006
【図５】
2006263205.tif 000007
【図６】
2006263205.tif 000008
【図７】
2006263205.tif 000009
【図８】
2006263205.tif 000010
【図９】
2006263205.tif 000011
【図１０】
2006263205.tif 000012
【図１１】
2006263205.tif 000013
【図１２】
2006263205.tif 000014